(57)【特許請求の範囲】
【請求項１】
外国人旅行者のためのポストペイ型の電子マネーカードであって、
前記外国人旅行者のクレジットカードの利用可能額の範囲内で前記電子マネーカードの国内での一時的な利用限度額として設定されたオーソリ予約枠を記憶するオーソリ予約枠記憶部を含むカード情報記憶部を備え、
前記カード情報記憶部は、前記電子マネーカードが国内で使用されたときに、前記オーソリ予約枠と利用金額との差であるオーソリ予約枠残高が不足する場合に、前記オーソリ予約枠残高を自動的に加算するため、前記不足の基準となる金額を定めた自動オーソリ予約額を記憶する自動オーソリ予約額記憶部を含むことを特徴とする電子マネーカード。
【請求項２】
前記カード情報記憶部は、前記電子マネーカードが国内で使用されたときに、前記使用した際の決済用端末から旅行中の買物に関する電子データを受信し、前記電子データを旅行電子データとして記憶する旅行電子データ記憶部を含むことを特徴とする請求項１に記載の電子マネーカード。
【請求項３】
外国人旅行者のためのポストペイ型の電子マネーカードを管理する電子マネーカード管理サーバであって、
前記外国人旅行者のクレジットカードの利用可能額の範囲内で前記電子マネーカードの国内での一時的な利用限度額として設定されたオーソリ予約枠と、
前記オーソリ予約枠と利用金額との差であるオーソリ予約枠残高が不足する場合に、前記オーソリ予約枠残高を自動的に加算するため、前記不足の基準となる金額を定めた自動オーソリ予約額と、
を記憶する電子マネーカード情報データベースを備えることを特徴とする電子マネーカード管理サーバ。
【請求項４】
前記電子マネーカード情報データベースは、前記電子マネーカードが国内で使用されたときに、前記使用した際の決済用端末から旅行中の買物に関する電子データを受信し、前記電子データを旅行電子データとして記憶することを特徴とする請求項３に記載の電子マネーカード管理サーバ。
【請求項５】
外国人旅行者のためのポストペイ型の電子マネーカードを発行する電子マネーカード発行装置であって、
前記外国人旅行者のクレジットカードを読み取るクレジットカード読取部と、
前記読み取られたクレジットカードのオーソリ情報をクレジットカード会社のシステムに照会するオーソリ照会部と、
前記照会の結果が正常であったことに応じて、
前記クレジットカードの利用可能額の範囲内で、前記電子マネーカードの国内での一時的な利用限度額としてオーソリ予約枠を設定するオーソリ情報設定部と、
前記電子マネーカードが国内で使用されたときに、前記オーソリ予約枠と利用金額との差であるオーソリ予約枠残高が、基準となる自動オーソリ予約額を不足する場合に、前記オーソリ予約枠残高に前記オーソリ予約枠の金額を自動的に加算するため、前記不足の基準となる金額を定めた自動オーソリ予約額を記憶する自動オーソリ予約額記憶部と、
前記オーソリ情報設定部が設定した情報を電子マネーカードに関連付けて発行する、電子マネーカード発行部と、
を備えることを特徴とする電子マネーカード発行装置。
【請求項６】
外国人旅行者のためのポストペイ型の電子マネーカードの決済方法であって、
前記外国人旅行者のクレジットカードを読み取る段階と、
前記読み取られたクレジットカードのオーソリ情報をクレジットカード会社のシステムに照会する段階と、
前記照会の結果が正常であったことに応じて、
前記クレジットカードの利用可能額の範囲内で、前記電子マネーカードの国内での一時的な利用限度額としてオーソリ予約枠を設定する段階と、
前記電子マネーカードが国内で使用されたときに、前記オーソリ予約枠と利用金額との差であるオーソリ予約枠残高が、基準となる自動オーソリ予約額を下回った場合に、前記オーソリ予約枠残高に前記オーソリ予約枠の金額を自動的に加算する段階と、
を含むことを特徴とする電子マネーカードの決済方法。
【発明の詳細な説明】
【技術分野】
【０００１】
本発明は、電子マネーカード、電子マネーカードの発行装置、電子マネーカード管理サーバ及び電子マネーカードの決済方法に関する。
【背景技術】
【０００２】
従来から、ポストペイ型の電子マネーが知られている。ポストペイ型電子マネーは、プリペイド型電子マネーとは異なり、あらかじめ金額をチャージしておく必要がなく、使った分だけが後から請求されるのでカードの残高を気にせず利用できるというメリットがある。ポストペイ型の電子マネーカードとしては、スルッとＫＡＮＳＡＩ協議会等が展開しているＰｉＴａＰａ（登録商標）カード、エヌ・ティ・ティ・ドコモのｉＤ（登録商標）カード、トヨタファイナンス系のＱＵＩＣＰａｙカード等が知られている。無記名式のプリペイド型電子マネーカードは、即時に発行が可能であるが、ポストペイ型電子マネーカードは審査が必要で即時には発行されないため、特に交通系カードについては、関西圏以外ではそれほど浸透していないのが現状である。
【０００３】
一方、日本を訪れる外国人にとっては、プリペイド型電子マネーカードは、帰国するときに、日本でしか使えない電子マネーが残高として残ってしまうという問題があった。ポストペイ型電子マネーカードではこのような問題はないものの、ポストペイ型電子マネーカードは、上記のように審査が必要なため発行までに時間がかかり、外国人観光客にとっては利用しづらかった。
【０００４】
そのため、外国人向けの決済方法や決済システムが提案されている。例えば、特許文献１には、外国人観光客のためのクレジット決済方法が開示されている。また、特許文献２には、外国人旅行者向け電子マネー決済システムが開示されている。
【先行技術文献】
【特許文献】
【０００５】
【特許文献１】特開２０１４−１０８３５号公報
【特許文献２】特開２０１５−１４３９８６号公報
【発明の概要】
【発明が解決しようとする課題】
【０００６】
しかしながら、特許文献１に記載の決済方法によれば、外国人観光客がこの決済手段を利用して実際決済する段階と、外国人観光客が実際決済した金額分だけ、海外の金融機関から口座金額の一部を引き出して、海外の観光商品提供者に送金する段階を含むため、海外の金融機関と連携する必要があり、利用範囲が限られる。また、特許文献２に記載の決済システムは、総合型リゾートでのカジノサービスで発生したゲーム対価を電子マネーで決済するものであり、一般の街中での電子マネーの使用を前提としたものではない。
【０００７】
したがって、本発明では、上記のような観点から、外国人旅行者が審査を受けることなく手軽に利用することができるポストペイ型電子マネーのＩＣカードとその仕組みを提供することを目的とする。
【課題を解決するための手段】
【０００８】
上記課題を解決するため、本発明は、以下のような解決手段を提供する。
【０００９】
（１）本発明の第１の態様では、外国人旅行者のためのポストペイ型の電子マネーカードであって、前記外国人旅行者のクレジットカードの利用可能額の範囲内で前記電子マネーカードの国内での一時的な利用限度額として設定されたオーソリ予約枠を記憶するオーソリ予約枠記憶部を含むカード情報記憶部を備えることを特徴とする。
【００１０】
（２）また、本発明は、上記（１）に記載の電子マネーカードにおいて、前記カード情報記憶部は、前記電子マネーカードが国内で使用されたときに、前記オーソリ予約枠と利用金額との差であるオーソリ予約枠残高が不足する場合に、前記オーソリ予約枠残高を自動的に加算するため、前記不足の基準となる金額を定めた自動オーソリ予約額を記憶する、自動オーソリ予約額記憶部を含むようにしてもよい。
【００１１】
（３）また、本発明は、上記（１）又は（２）に記載の電子マネーカードにおいて、前記カード情報記憶部は、前記電子マネーカードが国内で使用されたときに、前記使用した際の決済用端末から旅行中の買物に関する電子データを受信し、前記電子データを旅行電子データとして記憶する、旅行電子データ記憶部を含むようにしてもよい。
【００１２】
（４）また、本発明の第２の態様では、外国人旅行者のためのポストペイ型の電子マネーカードを管理する電子マネーカード管理サーバであって、前記外国人旅行者のクレジットカードの利用可能額の範囲内で前記電子マネーカードの国内での利用限度額として設定されたオーソリ予約枠と、前記オーソリ予約枠と利用金額との差であるオーソリ予約枠残高が不足する場合に、前記オーソリ予約枠を残高自動的に加算するため、前記不足の基準となる金額を定めた自動オーソリ予約額と、を記憶する電子マネーカード情報データベースを備えるようにしてもよい。
【００１３】
（５）また、本発明は、上記（４）に記載の電子マネーカード管理サーバにおいて、前記電子マネーカード情報データベースは、前記電子マネーカードが国内で使用されたときに、前記使用した際の決済用端末から旅行中の買物に関する電子データを受信し、前記電子データを旅行電子データとして記憶するようにしてもよい。
【００１４】
（６）また、本発明の第３の態様では、外国人旅行者のためのポストペイ型の電子マネーカードを発行する電子マネーカード発行装置であって、前記外国人旅行者のクレジットカードを読み取るクレジットカード読取部と、前記読み取られたクレジットカードのオーソリ情報をクレジットカード会社のシステムに照会するオーソリ照会部と、前記照会の結果が正常であったことに応じて、前記クレジットカードの利用可能額の範囲内で、前記電子マネーカードの国内での一時的な利用限度額としてオーソリ予約枠を設定するオーソリ情報設定部と、前記オーソリ情報設定部が設定した情報を電子マネーカードに関連付けて発行する、電子マネーカード発行部と、を備えることを特徴とする。
【００１５】
（７）また、本発明の第４の態様では、外国人旅行者のためのポストペイ型の電子マネーカードの決済方法であって、前記外国人旅行者のクレジットカードを読み取る段階と、前記読み取られたクレジットカードのオーソリ情報をクレジットカード会社のシステムに照会する段階と、前記照会の結果が正常であったことに応じて、前記クレジットカードの利用可能額の範囲内で、前記電子マネーカードの国内での一時的な利用限度額としてオーソリ予約枠を設定する段階と、前記電子マネーカードが国内で使用されたときに、前記オーソリ予約枠と利用金額との差であるオーソリ予約枠残高が、基準となる自動オーソリ予約額を下回った場合に、前記オーソリ予約枠残高に前記オーソリ予約枠の金額を自動的に加算する段階と、を含むことを特徴とする。
【発明の効果】
【００１６】
本発明によれば、外国人旅行者が審査を受けることなく手軽に利用することができるポストペイ型の電子マネーのＩＣカードとその仕組みを提供することができる。
【図面の簡単な説明】
【００１７】
【図１】本発明の実施形態に係る電子マネーカード（ＶＩＣカード）の基本イメージを示す図である。
【図２】本発明の実施形態に係る電子マネーシステムにおけるＶＩＣカード、ＶＩＣカード発行装置、ＶＩＣカード管理サーバ及び決済用端末のシステム構成と機能構成を示す図である。
【図３】クレジットカード会社のシステムに格納される顧客情報データベース（ＤＢ）に格納されるデータの構成例を示す図である。
【図４】ＶＩＣカード管理サーバのＶＩＣカード管理情報データベース（ＤＢ）に格納されるデータの構成例を示す図である。
【図５】本発明の実施形態に係る旅先電子データに記録される電子データの一例を示す図である。
【図６】本発明の実施形態に係る決済処理フローを示す図である。
【発明を実施するための形態】
【００１８】
以下、添付図面を参照して、本発明を実施するための形態（以下、実施形態）について詳細に説明する。以降の図においては、実施形態の説明の全体を通して同じ要素には同じ番号又は符号を付している。また、機能構成の図において、機能ブロック間の矢印は、データの流れ方向、又は処理の流れ方向を表す。
【００１９】
（ＶＩＣカードの基本イメージ）
図１は、本発明の実施形態に係る電子マネーカードの基本イメージの概念を示す図である。本発明の実施形態に係る電子マネーカードは、外国人旅行者（Visitor）のためのポストペイ型の電子マネーＩＣカードであり、以下、ＶＩＣカード（Visitor  IC  Card）と呼ぶことにする。
【００２０】
外国人旅行者が入国する際、空港等で入国審査を済ませた後、ＶＩＣカード発行装置でＶＩＣカードの発行を受ける。ＶＩＣカードは、ＶＩＣカード発行装置に自らのクレジットカードを読込ませ、そのクレジットカードの利用可能金額（オーソリ枠）から一定額を予約するオーソリ予約枠を設定することで発行される。ここで紐付されるクレジットカードは、海外（母国）で発行されたものでよい。すなわち、オーソリ予約枠とは、ＶＩＣカードに設定された一時的な与信限度金額（国内利用限度額）であり、クレジットカードの現時点での利用可能金額（オーソリ枠）以内であれば自由に設定できる。
【００２１】
また、ＶＩＣカードにはオーソリ予約枠とは別に「自動オーソリ予約額」が設定できる。自動オーソリ予約額とは、電子マネーカードが国内で使用されたときに、オーソリ予約枠と利用金額との差であるオーソリ予約枠残高が不足する場合に、オーソリ予約枠残高を自動的に加算するため、不足の基準となる金額を定めたものである。なお、ＶＩＣカードは一度発行すれば、何度でも利用可能であるが、入国のたびにオーソリ予約枠の設定が必要である。なお、自動オーソリ予約額を設定しない場合は、オーソリ予約枠残高が自動的に加算されることがないので、オーソリ予約枠を国内での利用予定限度額に最初に設定しておく必要がある。
【００２２】
オーソリ予約枠は、訪問国（日本）の国内で使う一時的な利用限度額を設定したものであるが、設定されたオーソリ予約枠の金額が紐付されたクレジットカードの現在の利用可能額から減額される。国内ではＶＩＣカードは、通常のポストペイ型の電子マネーカードと同様に使用することができ、各種交通機関の自動改札機、ホテル、レストラン、コンビニ、土産物店、観光地等の店舗端末で利用が可能である。
【００２３】
オーソリ予約枠をＶＩＣカードに設定することで、オーソリ予約枠の範囲内のＶＩＣカードの利用では、クレジットカードを持ちだす必要がなくなる。特に自動改札機での支払や小口の支払等、クレジットカードでは決済しづらい支払に便利である。
【００２４】
このように、ＶＩＣカードは、他社が発行したクレジットカードで決済するため、他社であるクレジットカード発行会社にオーソリ処理して限度額の確認をする必要があるが、普通のオーソリ処理では時間を要し、駅の自動改札通過時等では処理が間に合わないため、あらかじめクレジットカードから一定額のオーソリ予約枠を確保しておくようにしたことが特徴である。
【００２５】
なお、オーソリ予約枠をクレジットカードの現時点の利用可能額一杯に設定することも可能であるが、その場合は、その後、母国において新たに発生する定期的な支払等がストップされてしまうので注意が必要である。したがって、オーソリ予約枠は利用可能額に対して十分余裕を持たせることが望ましい。
【００２６】
オーソリ予約枠残高が自動オーソリ予約額を下回った場合は、オーソリ予約枠と同じ金額が、オーソリ予約枠残高に加算される。これは、オートチャージ機能付のプリペイド型電子マネーのオートチャージに相当するが、実際にクレジットカードの売上データとして計上される訳ではなく利用限度額が減算されるだけである。またオーソリ予約枠残高に加算する場合は、その都度クレジットカード発行会社にオーソリ予約照会を行う。もし追加分のオーソリ予約照会時に利用可能額がオーソリ予約枠の金額を下回っていた場合は、当然オーソリ予約枠への加算は行われない。更に照会時にクレジットカードの盗難届が出ているなど、カードが使用不可の状態になっていると、ＶＩＣカードもその後は使用不可状態にする。
【００２７】
例えば、オーソリ予約枠を5,000円とし、自動オーソリ予約額を1,000円と設定したとし、駅の自動改札を通過するときの乗車料金が1,000円であった場合は、オーソリ予約枠残高（初期値はオーソリ予約枠と一致）から減額される。したがって、乗車後のオーソリ予約枠残高は4,000円となる。一方、乗車料金が4,200円であった場合は、利用後のオーソリ予約枠残高が自動オーソリ予約額の1,000円を下回るので、オーソリ予約枠残高にオーソリ予約枠の5,000円分が自動的に加算される。したがって、乗車後のオーソリ予約枠残高は5,800円となる。
【００２８】
オーソリ予約枠とは別に、自動オーソリ予約額を設けたことで、利用金額がオーソリ予約枠残高を超過しても、オーソリ予約枠残高がクレジットカードの利用可能額の範囲で自動的に加算されるのでオーソリ予約枠残高が不足する事態を回避することができる。オーソリ予約枠、自動オーソリ予約額、オーソリ予約枠残高及び後述の累計国内利用額（以下、これらをまとめてオーソリ情報と呼ぶ）は、国内のＶＩＣカードの管理サーバに格納される他、ＶＩＣカードの不揮発性メモリに格納されてもよい。ＶＩＣカードの不揮発性メモリにオーソリ情報が格納されている場合は、利用額がオーソリ予約枠を超過していない限り、ＶＩＣカードで駅のゲート通過するたびに、又は店舗のＩＣカードリーダにＶＩＣカードを読ませるたびに、ＶＩＣカード管理サーバと通信してオーソリ予約枠を照会することなく、スムーズな決済が可能である。
【００２９】
なお、外国人旅行者が、グループや家族で日本を訪れる場合、当該外国人旅行者が保有する1枚のクレジットカードに対して、同行者のそれぞれがＶＩＣカードを発行してもよい。同行者の属性をＶＩＣカードに登録しておくことで、その属性に応じた交通料金を算出できるようにしてもよい。
【００３０】
外国人旅行者が出国する際は、空港等での出国審査の前に、ＶＩＣ発行装置にＶＩＣカードをかざし、設定したオーソリ予約枠をリセットする。このとき、ＶＩＣカードに紐付されたクレジットカードの利用可能額から国内で実際に利用した金額（国内累積利用額）を減額する。すなわち、国内での実際の利用金額が、紐付されたクレジットカードに課金されることになるので、ＶＩＣカードに残ったオーソリ予約枠残高が課金されることはない。
【００３１】
ＶＩＣカードは、出国時に返却してもよいし、次回の入国時のために本国に持ち帰ってもよい。ＶＩＣカードを母国に持ち帰る場合は、ＶＩＣカードの自動オーソリ予約額はリセットしてもよいし、そのまま保存しておいてもよい。ただし、母国では、持ち帰ったＶＩＣカードは利用できないものとする。
【００３２】
（システム構成／機能構成）
図２は、本発明の実施形態に係る電子マネーシステムにおけるＶＩＣカード、ＶＩＣカード発行装置、ＶＩＣカード管理サーバ及び決済用端末のシステム構成とそれらの機能構成を示す図である。
【００３３】
図示するように本実施形態の電子マネーシステム（以下、本システム）は、典型的には、ＶＩＣカード１０と、電子マネーカード発行装置であるＶＩＣカード発行装置２０と、ＩＣカードリーダ／ライタ３０と、決済用端末４０と、電子マネーカード管理サーバであるＶＩＣカード管理サーバ５０と、クレジットカード会社のシステムであるクレジットカード会社サーバ６０とで構成される。もちろん、このような構成だけに限定されるものではない。
【００３４】
ＶＩＣカード発行装置２０は、クレジットカード会社サーバ６０とネットワークで接続され、決済用端末４０は、ＶＩＣカード管理サーバ５０とネットワークで接続され、ＩＣカードリーダ／ライタ３０は、決済用端末４０に直接接続されている。ＩＣカードリーダ／ライタ３０のライタ機能（カードの記憶部にデータを直接書き込む機能）がない場合は、ＶＩＣカード１０内には利用したデータが残らないので、決済用端末４０は、ＶＩＣカード１０が利用されるたびに、ＶＩＣカード管理サーバ５０にカード情報を問い合わせる必要がある。
【００３５】
ＶＩＣカード１０は、カード内に、ＣＰＵ１１と、カード情報記憶部１２（不揮発性メモリ）と、プログラム格納部１３（ＲＯＭ又はフラッシュＲＯＭ）と、外部Ｉ／Ｆ１４と、電力供給部１５とを備えたＩＣカードである。ＩＣカードのハードウェア構成は一般的なものなのでここでは説明を省略する。
【００３６】
カード情報記憶部１２には、オーソリ予約枠記憶部１２Ａと、自動オーソリ予約額記憶部１２Ｂと、オプション機能として、後述の旅行電子データを記憶する旅行電子データ記憶部１２Ｃを備えている。なお、オーソリ予約枠記憶部１２Ａと自動オーソリ予約額記憶部１２Ｂをまとめてオーソリ情報記憶部と呼ぶことにする。
【００３７】
ＶＩＣカード発行装置２０は、ＶＩＣカード１０を外国人旅行者に新規に発行するための装置であり、内部的には、クレジットカード読取部２１と、オーソリ照会部２２と、通信部２３と、操作部２４と、オーソリ情報設定部２５と、ＶＩＣカード発行部２６（電子マネーカード発行部）と、ＶＩＣカード読取部２７とを備えている。
【００３８】
クレジットカード読取部２１は、外国人旅行者が提示したクレジットカードを読み取り、オーソリ照会部２２が、通信部２３を介して、そのクレジットカードを発行した（主に海外の）クレジットカード会社サーバ６０にオーソリ情報を照会し、そのクレジットカードのオーソリ予約処理を行う。ここで、ＶＩＣカードを利用可能な交通事業者等は、そのクレジットカード会社と加盟店契約を結んでいるものとする。ここで、オーソリ予約処理とは、そのクレジットカード番号が有効に存在しているか、有効期限が過ぎていないか、利用可能額が残っているか等をチェックし、利用可能額に対してＶＩＣカードに設定するオーソリ予約枠の金額分を確保する処理のことである。
【００３９】
オーソリ照会部２２の照会の結果が正常であったことに応じて、そのクレジットカードの現在の利用可能額が、オーソリ情報設定部２５に引き渡される。オーソリ情報設定部２５は、装置の操作部２４（表示部及び入力部を含む）を介して、外国人旅行者に、オーソリ予約枠と自動オーソリ予約額を設定させる。
【００４０】
既に述べたように、オーソリ予約枠は、クレジットカードの利用可能額の範囲内であれば自由に設定できるが、既に述べたように、クレジットカードの利用可能額より十分低く、少額(例えば、5,000円〜30,000円程度）に設定することが望ましい。利用可能額一杯に設定すると、利用者が旅行中にクレジットカードでの買物ができなくなってしまうからである。また、利用可能額の範囲内であっても、オーソリ予約枠を大きく設定してしまうと、実際には使用していない与信枠を確保してしまい、利用者の買物の機会を制限してしまうことになる。本システムでは、自動オーソリ予約額を設定することで、オーソリ予約枠の残高が少なくなるたびにオーソリ予約枠分が自動的に加算されるので、オーソリ予約枠を少額に設定することができる。すなわち、自動オーソリ予約額を設定し、オーソリ予約枠を少額にし、細切れに確保し直すことで、クレジットカードによる買物への影響を最小限に抑えることができる。なお、自動オーソリ予約額は、オーソリ予約枠以下であれば自由に設定できるが、これも1,000円〜5,000円程度の少額の方が望ましい。
【００４１】
オーソリ情報設定部２５がオーソリ予約枠と自動オーソリ予約額が適切であると判断すると、ＶＩＣカード発行部２６が、オーソリ情報設定部２５が設定したオーソリ情報に関連付けて、新規のＶＩＣカードを発行する。このときＶＩＣカード１０のオーソリ情報記憶部には、オーソリ予約枠、自動オーソリ予約額、オーソリ予約枠残高が書き込まれる。また、このとき発行されたＶＩＣカード１０の情報がＶＩＣカード管理サーバ５０に送信される。ＶＩＣカード管理サーバ５０は、送信されたカードの情報をＶＩＣカード情報ＤＢ５１（電子マネーカード情報データベース）に格納する。以後、ＶＩＣカード１０は、ＶＩＣカードをサポートする国内の様々な交通機関の自動改札機や様々な店舗の端末（以下では両者を合わせて決済用端末４０と呼ぶ）に備えられたＩＣカードリーダ／ライタ３０にかざすことによってポストペイ型電子マネーカードとして利用可能となる。ＶＩＣカード１０が利用されるたびにＶＩＣカード管理サーバ５０のＶＩＣカード情報ＤＢ５１に、カードの利用状況（国内累積利用金額を含む）及び利用履歴が記録されるのは言うまでもない。なお、図示は省略しているが、ＶＩＣカード管理サーバ５０は、ＶＩＣカード発行装置２０のオーソリ照会部２２、通信部２３、オーソリ情報設定部２５の機能を備え、クレジットカード会社サーバ６０にアクセスすることができる。
【００４２】
外国人旅行者が出国する際には、ＶＩＣカード発行装置２０にＶＩＣカード１０をかざす。このとき、ＶＩＣカード読取部２７がカード情報を読込み、オーソリ情報設定部２５が、ＶＩＣカード１０のオーソリ予約枠をリセットし、クレジットカード会社サーバ６０と交信してＶＩＣカード１０と紐付されたクレジットカードの利用可能額を更新することで完了する。もちろん、ＶＩＣカード１０の発行及びオーソリ予約枠のリセットは、ＶＩＣカード発行装置２０だけでなく、空港等の所定の受付窓口でも申請できるものとする。
【００４３】
図３は、クレジットカード会社サーバ６０の顧客情報ＤＢ６１に格納されるデータの構成例を示す図である。顧客情報ＤＢ６１自体は、図示するようなクレジットカード会社が管理する一般的な情報であるが、特に、利用限度額とは、顧客単位で設定されたクレジットカードの限度額（与信限度額）である。また、利用可能金額とは、現時点で、クレジットカードで支払可能な金額であり、利用限度額から支払の済んでいない金額を差し引いた金額である。
【００４４】
図４は、ＶＩＣカード管理サーバ５０のＶＩＣカード情報ＤＢ５１に格納されるデータの構成例を示す図である。ＶＩＣカード情報ＤＢ５１には、ＶＩＣカード１０のＮｏ．ごとに、ＶＩＣカード１０に紐付されたクレジットカード（以下、クレカと略す）の顧客情報６１ａが転記される（暗証番号を除く）。ただし、クレカ利用可能額には、現地通貨の所定の為替レートによる日本円の金額が格納される。例えば、図の例では、１ＵＳＤ＝１２０円の為替レートで換算されている。
【００４５】
ＶＩＣカード情報ＤＢ５１には、紐付されたクレカの情報に加え、ＶＩＣカード１０のオーソリ予約枠、自動オーソリ予約額、オーソリ予約枠残高、累計オーソリ予約枠、国内累計利用額が格納される。オーソリ予約枠残高の初期値は、オーソリ予約枠と一致する。なお、累計オーソリ予約枠がクレジットカードの利用可能額を超えると、そのＶＩＣカード１０は利用できなくなる。その場合は、ＶＩＣカード発行装置２０又は所定の窓口でクレジットカードの利用可能額を再設定する必要がある。
【００４６】
図５は、本発明の実施形態に係る旅行電子データに記録される電子データの一例を示す図である。旅行電子データとは、外国人旅行者が、国内での買物の際に旅行の記念となる品物や風景の画像を電子データとして、ＶＩＣカード１０内に記録したものである。例えば、乗車した区間の乗車券の画像や観光施設の利用券の画像を電子データとして購入時にＩＣカードリーダから取得し、ＶＩＣカード１０に保管することができる。
【００４７】
また、単なる電子データでなく、土産物店等で、３Ｄプリンタ用の電子データを購入し、その電子データをＶＩＣカード１０に格納してもよい。帰国後、その電子データを、サービス業者又は自己が所有する３Ｄプリンタで印刷すれば、土産物を持ち運ぶ手間がなく、税関もスムーズに通過できる。また、旅先電子データは、ＶＩＣカード１０内部でなく、ＶＩＣカード管理サーバ５０に送信して、一時的に保管することも可能である。このようにすることで、ＶＩＣカード１０を、簡易的な旅行記の記録手段や土産物運搬手段としても活用することが可能となる。
【００４８】
以上説明した本システムの機能構成は、あくまで一例であり、一つの機能ブロック（データベース及び機能処理部）を分割したり、複数の機能ブロックをまとめて一つの機能ブロックとして構成したりしてもよい。各機能処理部は、装置に内蔵されたＣＰＵ（Central  Processing  Unit）が、ＲＯＭ（Read  Only  Memory）、フラッシュメモリ、ＳＳＤ(Solid  State  Drive)、ハードディスク等の記憶装置に格納されたコンピュータ・プログラムを読み出し、ＣＰＵにより実行されたコンピュータ・プログラムによって実現される。すなわち、各機能処理部は、このコンピュータ・プログラムが、記憶装置に格納されたデータベース（ＤＢ;Data  Base)やメモリ上の記憶領域からテーブル等の必要なデータを読み書きし、場合によっては、関連するハードウェア（例えば、入出力装置、表示装置、通信インターフェース装置）を制御することによって実現される。また、本発明の実施形態におけるデータベース（ＤＢ）は、商用データベースであってよいが、単なるテーブルやファイルの集合体をも意味し、データベースの内部構造自体は問わないものとする。
【００４９】
（決済処理フロー）
図６は、本発明の実施形態に係る決済処理フローを示す図である。この決済処理は、決済用端末４０からＶＩＣカード１０の利用情報を受信したＶＩＣカード管理サーバ５０が行う処理である。以下では、オーソリ予約枠やオーソリ予約残高、国内累計利用額をＶＩＣカード１０には記憶せず、ＶＩＣカード管理サーバ５０に記憶している場合について説明する。なお、この処理フロー図（フローチャート）においては、各ステップの入力と出力の関係を損なわない限り、各ステップの処理順序を入れ替えてもよい。
【００５０】
まずステップＳ１０において、決済用端末４０は、ＶＩＣカード１０がＩＣカードリーダにタッチされた（かざされた）ことを検知すると、カードでの利用金額（支払金額）を取得する。さらに、ステップＳ１１において、ＶＩＣカード１０が有効か否かをチェックする。ＶＩＣカードが有効でないと判断された場合は、ＶＩＣカードが使用不可であることを表示し、処理を終了する（ステップＳ１２）。
【００５１】
次に、ＶＩＣカード管理サーバ５０は、ステップＳ１３において、利用金額が確定したものであるかどうかを判定する。交通系ＩＣカードで駅の自動改札機を入場する際、乗車駅では乗車料金が確定していないので、最低乗車料金分の残高がカードにあることを確認するのが一般的であるが、ＶＩＣカード１０の場合も同様に、利用金額が確定していない場合は（ステップＳ１３：Ｎ）、ステップＳ１４に移り、仮利用金額（確定していない利用金額）を引いた後のオーソリ予約枠残高が自動オーソリ予約額以上あるかどうかを確認する。
【００５２】
仮利用金額が自動オーソリ予約額未満の場合は（ステップＳ１４：Ｙ）、クレジットカード会社サーバ６０にオーソリ予約処理（与信チェック）を行い、オーソリ予約枠の金額がその時点での利用可能額を越えていなければ、オーソリ予約枠残高にオーソリ予約枠の金額を自動的に加算する（ステップＳ１５）。このとき利用可能額を越えている場合は、オーソリ予約枠への加算は行わない。またクレジットカードが盗難や悪用などで使用不可になっていた場合は、その時点からＶＩＣカードも使用不可（カード無効）にし、処理を終了する。仮利用金額を引いた後のオーソリ予約枠残高が自動オーソリ予約額以上の場合は（ステップＳ１４：Ｎ）は、何もしないで処理を終了する。したがってこの段階では決済処理は行わない。なお、カードを最初にタッチした段階では利用額が確定しないケースは、ホテル等でのチェックインでも発生する。
【００５３】
降車駅の自動改札機でＶＩＣカード１０がタッチされた場合等、利用金額が確定している場合は（ステップＳ１３：Ｙ）、ステップＳ１６に移り、確定した利用金額を引いた後のオーソリ予約枠残高が自動オーソリ予約額未満かどうかを確認する。オーソリ予約枠残高が自動オーソリ予約額未満の場合は（ステップＳ１６：Ｙ）、ステップＳ１７に進み、クレジットカード会社サーバ６０にオーソリ予約処理を行い、オーソリ予約枠の金額がその時点での利用可能額を越えていなければ、オーソリ予約枠残高にオーソリ予約枠を自動的に加算する。オーソリ予約枠残高が自動オーソリ予約額以上の場合は（ステップＳ１６：Ｎ）、オーソリ予約枠への加算は行わない（クレジットカードが盗難や悪用などで使用不可になっていた場合は、その時点からＶＩＣカードも使用不可にするのはステップＳ１５の場合と同様である）。また、ステップＳ１６：Ｎの場合は、ステップＳ１７をスキップし（クレジットカード会社サーバ６０に問い合わせることなく）、ステップＳ１８に移る。
【００５４】
ステップＳ１７の処理の後は、ステップＳ１８に進み、利用金額に国内累計利用額を加えた合計が、紐付けられたクレジットカードの利用可能額以内かを確認する。合計が利用可能額を超えていれば（ステップＳ１８：Ｎ）、ステップＳ１９に移り、クレジットカード利用可能額超過を表示して処理を終わる。この場合、その後、当該ＶＩＣカードは使用不可となり、またＶＩＣカード使用者は残額を現金などで精算する必要がある。クレジットカードの利用可能額以内であれば（ステップＳ１８：Ｙ）、決済用端末４０は利用金額を売上報告としてＶＩＣカード管理サーバ５０に送信する（ステップＳ２０）。このとき、ＶＩＣカード管理サーバ５０は、オーソリ予約枠残高を更新し、決済する利用金額分を国内累積利用額に加算する（ステップＳ２１）。
【００５５】
（実施形態の効果）
本システムによれば、第１に、外国人旅行者が審査を受けることなく手軽に利用することができるポストペイ型の電子マネーカード（ＶＩＣカード）を提供することができる。ＶＩＣカードは、ポストペイ型の電子マネーなので、外国人旅行者が出国する際に、国内でしか使えない電子マネーの残高がカードに残る心配がなくなる。また、ＶＩＣカードは、外国人旅行者のクレジットカードから国内で利用可能な額をオーソリ予約枠として設定されるので、このオーソリ予約枠内の利用である限り、クレジットカードを持ちだす必要はなくなる。
【００５６】
第２に、ＶＩＣカードが国内で使用されたときに、オーソリ予約枠残高に対してオーソリ予約枠を自動的に加算するための基準となる金額を定めた自動オーソリ予約額を設定することができる。このようにすることで、オーソリ予約枠が不足しても、クレジットカードの利用可能額の範囲内で、オーソリ予約枠を自動的に増加させることができる。また、オーソリ予約枠を細切れに確保し直すことで、母国のクレジットカードによる買物への影響を最小限に抑えることができる。
【００５７】
第３に、ＶＩＣカードが国内で使用されたときに、使用した際の決済用端末から旅行中の買物に関する電子データを受信し、旅行中の買物に関する電子データを旅行電子データとして記憶することができる。すなわち、その電子データを元に旅行記を作成したり、電子データを３Ｄプリンタ用の印刷データとすれば、土産物等を帰国後に３Ｄプリンタで印刷したりすることもできる。
【００５８】
また、外国人旅行者が入国時に空港等に設置されたＶＩＣカード発行装置で、クレジットカードを読込ませ、オーソリ予約枠等を設定するだけで即座にＶＩＣカードが発行可能である。一度発行されたＶＩＣカードは、本国に持ち帰ってもよく、再入国のときに再度オーソリ予約枠を設定すれば再び利用可能となる。
【００５９】
また、ＶＩＣカードの累計オーソリ予約枠及び国内累積利用金額が、クレジットカードの利用可能額の範囲内であることを確認し、クレジットカードに対して通常の決済をするので、クレジットカード側のシステムには何ら変更を要しない。
【００６０】
以上、実施形態を用いて本発明を説明したが、本発明の技術的範囲は上記実施形態に記載の範囲に限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。なお、上記の実施形態では、本発明を物の発明として、電子マネーカード、電子マネーカード発行装置、電子マネー管理サーバについて説明したが、本発明は、方法の発明（電子マネーカードの決済方法）又はコンピュータ・プログラムの発明としても捉えることもできる。
【符号の説明】
【００６１】
１０  ＶＩＣカード（外国人用電子マネーカード）
１１  ＣＰＵ
１２  カード情報記憶部
１２Ａ  オーソリ予約枠記憶部
１２Ｂ  自動オーソリ予約額記憶部
１２Ｃ  旅先電子データ記憶部
１３  プログラム格納部
１４  外部Ｉ／Ｆ
１５  電力供給部
２０  ＶＩＣカード発行装置（電子マネーカード発行装置）
２１  クレジットカード読取部
２２  オーソリ照会部
２３  通信部
２４  操作部
２５  オーソリ情報設定部
２６  ＶＩＣカード発行部
２７  ＶＩＣカード読取部
３０  ＩＣカードリーダ／ライタ
４０  決済用端末（自動改札機、店舗端末）
５０  ＶＩＣカード管理サーバ
５１  ＶＩＣカード情報ＤＢ
６０  クレジットカード会社サーバ
６１  顧客情報ＤＢ
【図１】
0006627091.tif 000002
【図２】
0006627091.tif 000003
【図３】
0006627091.tif 000004
【図４】
0006627091.tif 000005
【図５】
0006627091.tif 000006
【図６】
0006627091.tif 000007